(57)【要約】【課題】利用者に対して１台のディスプレイで複数の映像を表示する。【解決手段】２視差のディスプレイ１１に対して、ミラー１２を利用者１００の反対側に、ディスプレイ１１の一方の視野角で出力された映像がミラー１２で反射して利用者１００に届くように配置し、撮像部１３が撮影した映像と映像入力部１４が入力した映像をディスプレイ１１に出力する。これにより、利用者１００は、ディスプレイ１１を直接見た場合は映像入力部１４が入力した映像、ミラー１２を介してディスプレイ１１を見た場合は撮像部１３が撮影した映像を見ることができる。【選択図】図１
2013255152.tif 000002
【特許請求の範囲】
【請求項１】
異なる視野角で異なる映像を表示するディスプレイと、
反射面を前記ディスプレイに向けて配置した反射板と、
前記反射面で反射された前記視野角の一つで表示された映像を見る利用者を前記反射板の上部から撮影する撮影手段と、
映像を入力する映像入力手段と、を有し、
前記ディスプレイは、前記撮影手段が撮影した映像と前記映像入力手段が入力した映像を入力し、それぞれ異なる視野角で表示することを特徴とする撮像表示装置。
【請求項２】
異なる視野角で異なる映像を表示するディスプレイと、
光を反射する反射面と光を透過する透過面を備え、前記反射面を前記ディスプレイに向けて配置したハーフミラーと、
前記反射面で反射された前記視野角の一つで表示された映像を見る利用者を前記ハーフミラーの透過面側から撮影する撮影手段と、
映像を入力する映像入力手段と、を有し、
前記ディスプレイは、前記撮影手段が撮影した映像と前記映像入力手段が入力した映像を入力し、それぞれ異なる視野角で表示することを特徴とする撮像表示装置。
【請求項３】
請求項１又は２に記載の撮像表示装置に映像を伝送する伝送手段を備え、
当該撮像表示装置を複数台接続してお互いに映像を伝送することを特徴とする遠隔対面コミュニケーションシステム。
【請求項４】
異なる視野角で異なる映像を表示するディスプレイと、
反射面を前記ディスプレイに向けて配置した反射板と、
複数の映像を入力して前記ディスプレイに出力する映像入力手段と、を有し、
前記ディスプレイと前記反射板は地面に対して立てて配置されることを特徴とする表示装置。
【請求項５】
異なる視野角で異なる映像を表示するディスプレイと、反射面を前記ディスプレイに向けて配置した反射板と、前記反射面で反射された前記視野角の一つで表示された映像を見る利用者を前記反射板の上部から撮影する撮影手段と、映像を入力する映像入力手段と、を有する撮像表示装置を用いた撮像表示方法であって、
前記撮影手段による、前記利用者を撮影するステップと、
前記映像入力手段による、映像を入力するステップと、
前記ディスプレイに前記撮影手段が撮影した映像と前記映像入力手段が入力した映像を入力するステップと、
前記撮影手段が撮影した映像を前記反射板が反射する視野角で表示し、前記映像入力手段が入力した映像を別の視野角で表示するステップと、
を有することを特徴とする撮像表示方法。
【請求項６】
異なる視野角で異なる映像を表示するディスプレイと、光を反射する反射面と光を透過する透過面を備え、前記反射面を前記ディスプレイに向けて配置したハーフミラーと、前記反射面で反射された前記視野角の一つで表示された映像を見る利用者を前記ハーフミラーの透過面側から撮影する撮影手段と、映像を入力する映像入力手段と、を有する撮像表示装置を用いた撮像表示方法であって、
前記撮影手段による、前記利用者を撮影するステップと、
前記映像入力手段による、映像を入力するステップと、
前記ディスプレイに前記撮影手段が撮影した映像と前記映像入力手段が入力した映像を入力するステップと、
前記撮影手段が撮影した映像を前記反射板が反射する視野角で表示し、前記映像入力手段が入力した映像を別の視野角で表示するステップと、
を有することを特徴とする撮像表示方法。
【発明の詳細な説明】
【技術分野】
【０００１】
本発明は、複数の映像を表示する技術に関する。
【背景技術】
【０００２】
従来の撮像表示装置は、ディスプレイおよびカメラを有した端末装置を利用者ごとに備えたものが知られている（例えば特許文献１、特許文献２）。このような撮像表示装置を相互に接続することでテレビ電話が可能となる。撮像表示装置をテレビ電話として利用する場合は、カメラで利用者を撮影し、ディスプレイに利用者の対面映像を表示している。
【先行技術文献】
【特許文献】
【０００３】
【特許文献１】特開平６−１６５１７３号公報
【特許文献２】特開２０１０−１７１６９０号公報
【発明の概要】
【発明が解決しようとする課題】
【０００４】
しかしながら、従来の撮像表示装置においては、ディスプレイに利用者の対面映像を表示しているため、資料などの映像を表示するためのディスプレイを別に用意する必要があった。そのため、利用者は２台のディスプレイを用意しなければならないという問題があった。
【０００５】
本発明は、上記に鑑みてなされたものであり、利用者に対して１台のディスプレイで複数の映像を表示することを目的とする。
【課題を解決するための手段】
【０００６】
第１の本発明に係る撮像表示装置は、異なる視野角で異なる映像を表示するディスプレイと、反射面を前記ディスプレイに向けて配置した反射板と、前記反射面で反射された前記視野角の一つで表示された映像を見る利用者を前記反射板の上部から撮影する撮影手段と、映像を入力する映像入力手段と、を有し、前記ディスプレイは、前記撮影手段が撮影した映像と前記映像入力手段が入力した映像を入力し、それぞれ異なる視野角で表示することを特徴とする。
【０００７】
第２の本発明に係る撮像表示装置は、異なる視野角で異なる映像を表示するディスプレイと、光を反射する反射面と光を透過する透過面を備え、前記反射面を前記ディスプレイに向けて配置したハーフミラーと、前記反射面で反射された前記視野角の一つで表示された映像を見る利用者を前記ハーフミラーの透過面側から撮影する撮影手段と、映像を入力する映像入力手段と、を有し、前記ディスプレイは、前記撮影手段が撮影した映像と前記映像入力手段が入力した映像を入力し、それぞれ異なる視野角で表示することを特徴とする。
【０００８】
第３の本発明に係る遠隔対面コミュニケーションシステムは、上記撮像表示装置に映像を伝送する伝送手段を備え、当該撮像表示装置を複数台接続してお互いに映像を伝送することを特徴とする。
【０００９】
第４の本発明に係る表示装置は、異なる視野角で異なる映像を表示するディスプレイと、反射面を前記ディスプレイに向けて配置した反射板と、複数の映像を入力して前記ディスプレイに出力する映像入力手段と、を有し、前記ディスプレイと前記反射板は地面に対して立てて配置されることを特徴とする。
【００１０】
第５の本発明に係る撮像表示方法は、異なる視野角で異なる映像を表示するディスプレイと、反射面を前記ディスプレイに向けて配置した反射板と、前記反射板の反射面を見る利用者を前記反射板の上部から撮影する撮影手段と、映像を入力する映像入力手段と、を有する撮像表示装置を用いた撮像表示方法であって、前記撮影手段による、前記利用者を撮影するステップと、前記映像入力手段による、映像を入力するステップと、前記ディスプレイに前記撮影手段が撮影した映像と前記映像入力手段が入力した映像を入力するステップと、前記撮影手段が撮影した映像を前記反射板が反射する視野角で表示し、前記映像入力手段が入力した映像を別の視野角で表示するステップと、を有することを特徴とする。
【００１１】
第６の本発明に係る撮像表示方法は、異なる視野角で異なる映像を表示するディスプレイと、光を反射する反射面と光を透過する透過面を備え、前記反射面を前記ディスプレイに向けて配置したハーフミラーと、前記反射面で反射された前記視野角の一つで表示された映像を見る利用者を前記ハーフミラーの透過面側から撮影する撮影手段と、映像を入力する映像入力手段と、を有する撮像表示装置を用いた撮像表示方法であって、前記撮影手段による、前記利用者を撮影するステップと、前記映像入力手段による、映像を入力するステップと、前記ディスプレイに前記撮影手段が撮影した映像と前記映像入力手段が入力した映像を入力するステップと、前記撮影手段が撮影した映像を前記反射板が反射する視野角で表示し、前記映像入力手段が入力した映像を別の視野角で表示するステップと、を有することを特徴とする。
【発明の効果】
【００１２】
本発明によれば、利用者に対して１台のディスプレイで複数の映像を表示することができる。
【図面の簡単な説明】
【００１３】
【図１】第１の実施の形態における撮像表示装置の構成を示す概略構成図である。
【図２】上記の撮像表示装置に用いた２視差のディスプレイを説明する図である。
【図３】上記のディスプレイで表示される２種類の映像を説明する図である。
【図４】第１の実施の形態における別の撮像表示装置の構成を示す概略構成図である。
【図５】第２の実施の形態における表示装置の構成を示す概略構成図である。
【図６】第３の実施の形態の実施の形態における遠隔対面コミュニケーションシステムの構成を示す機能ブロック図である。
【図７】第３の実施の形態の実施の形態における別の遠隔対面コミュニケーションシステムの構成を示す機能ブロック図である。
【発明を実施するための形態】
【００１４】
以下、本発明の実施の形態について図面を用いて説明する。なお、実施例を説明するための全図において、同一機能を有するものは同一符号を付け、その繰り返しの説明は省略する。
【００１５】
［第１の実施の形態］
図１は、第１の実施の形態における撮像表示装置の構成を示す概略構成図である。同図に示す撮像表示装置は、２視差のディスプレイ１１、ミラー１２、利用者１００を撮影するカメラ１３、および映像入力部１４を有する。
【００１６】
ディスプレイ１１は、異なる視野角で異なる映像を表示できる２視差のディスプレイである。ディスプレイ１１は、表示面を上向きにして配置する。ミラー１２は、利用者１００がディスプレイ１１をはさんで対向する位置にいるとき、ディスプレイ１１の一方の視野角で出力された映像がミラー１２で反射して利用者１００が見ることができるようにミラー面をディスプレイ１１の表示面に向けて配置する。このとき、利用者１００が直接ディスプレイ１１を見た場合はもう一方の視野角で出力された別の映像を見ることができる。カメラ１３は、利用者１００の顔を撮影するように、ミラー１２の上部に配置する。
【００１７】
ディスプレイ１１は、カメラ１３が撮影した映像と映像入力部１４に入力された映像を入力し、利用者１００が直接ディスプレイ１１を見た場合には映像入力部１４に入力された映像を見ることができ、利用者１００がミラー１２を介してディスプレイ１１を見た場合にはカメラ１３で撮影された利用者１００の対面映像を見ることができるように、視差によって異なる２種類の映像を表示する。
【００１８】
図２は、本実施の形態の撮像表示装置に用いた２視差のディスプレイ１１を説明する図である。
【００１９】
ディスプレイ１１は、図２に示すように、Ａ側とＢ側の２方向それぞれで見た場合に異なる映像を見ることができる。ディスプレイ１１は、見る角度（視野角）によって、異なる２種類の内容の映像を同時に表示できる視野障壁を利用した２視差のディスプレイである。視差障壁方法は、例えば、パララックスバリア方式やレンチキュラーレンズ方式である。ディスプレイ１１は、視野障壁を利用したディスプレイであれば、２視差以上で複数視差の液晶、プラズマなど各種のディスプレイを用いることができる。
【００２０】
続いて、ディスプレイ１１が表示する映像について説明する。
【００２１】
図３（ａ）は、利用者１００がミラー１２を介して見る映像を示した図である。
【００２２】
カメラ１３で撮影された映像はディスプレイ１１に出力され、ディスプレイ１１のミラー１２側の視野角で表示される。ディスプレイ１１に表示された映像はミラー１２で反射し、利用者１００は正面に配置されたミラー１２を介してカメラ１３で撮影された対面映像を見ることができる。
【００２３】
図３（ｂ）は、利用者１００がディスプレイ１１の表示面で見る映像を示した図である。
【００２４】
映像入力部１４に入力された映像（例えば資料映像など）はディスプレイ１１に出力され、ディスプレイ１１の利用者１００側の視野角で表示される。利用者１００がディスプレイ１１の視野角と同じ角度でディスプレイ１１を見た場合、映像入力部１４に入力された映像を見ることができる。
【００２５】
図４は、第１の実施の形態における別の撮像表示装置の構成を示す概略構成図である。
【００２６】
図４に示す撮像表示装置は、ミラー１２の代わりにハーフミラー１５を配置し、カメラ１３をハーフミラー１５の裏側に配置した。なお、ディスプレイ１１とハーフミラー１５の位置関係は図１の撮像表示装置と同様である。ハーフミラー１５は、ハーフミラー１５の反射面をディスプレイ１１の表示面に向け、ハーフミラー１５の透過面をカメラ１３のレンズ面に向けて配置する。
【００２７】
カメラ１３の光軸と利用者１００が正面を見る目線とが一致する位置にカメラ１３を配置し、カメラ１３の可視光がハーフミラー１５を透過して利用者１００を撮影することによって、視線が一致する映像を撮影することができる。
【００２８】
以上説明したように、本実施の形態によれば、２視差のディスプレイ１１に対して、ハーフミラー１５を利用者１００の反対側に、ディスプレイ１１の一方の視野角で出力された映像がハーフミラー１５で反射して利用者１００に届くように配置し、カメラ１３が撮影した映像と映像入力部１４が入力した映像をディスプレイ１１に出力することで、利用者１００は、ディスプレイ１１を直接見た場合は映像入力部１４が入力した映像、ハーフミラー１５を介してディスプレイ１１を見た場合はカメラ１３が撮影した映像を見ることができる。
【００２９】
本実施の形態によれば、ミラー１２に替えてハーフミラー１５を配置し、ハーフミラー１５の透過面側（裏側）にカメラ１３を配置することで、ハーフミラー１５に映る対面映像と視線が一致可能な映像を表示することができる。
【００３０】
［第２の実施の形態］
図５は、第２の実施の形態における表示装置の構成を示す概略構成図である。
【００３１】
第２の実施の形態の表示装置は、２視差のディスプレイ１１、ミラー１２、および映像入力部１４を備え、第１の実施の形態の撮像表示装置のディスプレイ１１とミラー１２の位置関係を保ったまま、ディスプレイ１１とミラー１２を地面に対して垂直に立てて配置したものである。
【００３２】
映像入力部１４が異なる２種類の映像をディスプレイ１１に出力する。２人の利用者１００Ａ，１００Ｂは、隣り合わせで位置し、利用者１００Ａはミラー１２を介してディスプレイ１１に表示された映像を見て、利用者１００Ｂは直接ディスプレイ１１に表示された映像を見る。ミラー１２を介して見る映像と直接ディスプレイ１１を見る映像は視野角が異なるので、２人の利用者１００Ａ，１００Ｂは隣り合わせで異なる映像を見ることができる。
【００３３】
本実施例の表示装置は、例えば、医師と患者がカルテを見ながら医療情報の共有をする場合などに使用できる。また、教師が生徒への学習支援を行う場合などに使用できる。
【００３４】
以上説明したように、本実施の形態によれば、２視差のディスプレイ１１とミラー１２を地面に対して垂直に立てて配置し、映像入力部１４が異なる映像をディスプレイ１１に出力し、利用者１００Ａがミラー１２を介してディスプレイ１１の映像を見て、利用者１００Ｂがディスプレイ１１を直接見ることで、複数の利用者１００Ａ，１００Ｂが隣り合わせで異なる映像を見ることができる。
【００３５】
［第３の実施の形態］
図６は、第３の実施の形態の実施の形態における遠隔対面コミュニケーションシステムの構成を示す機能ブロック図である。
【００３６】
同図に示す遠隔対面コミュニケーションシステムは、第１の実施の形態の撮像表示装置１を２台、ネットワークを介して接続し、撮像部（カメラ）１３で撮影した対面映像と映像入力部１４に入力された資料映像を伝送部１６が相手の撮像表示装置１に伝送する。表示部（ディスプレイ）１１には、相手の撮像表示装置１から伝送された対面映像と資料映像が入力される。表示部１１は、直接表示部１１を見た場合は資料映像が見え、ミラー（図示せず）を介して見た場合は対面映像が見えるように、視野角それぞれで異なる映像を表示する。また、撮像表示装置１は、自分の映像入力部１４から自分の表示部１１に資料映像を出力し、表示部１１が伝送された相手の資料映像か自分の映像入力部１４から入力した資料映像を選択して表示することで、それぞれの撮像表示装置１で同じ資料映像を表示することができる。
【００３７】
したがって、各地点では、他地点にいる相手と対面しながら会話ができ、また視線をあわせて会話することもできる。さらに実際に机上面に提示してある資料と同じように資料映像を見ることができるため、自然なコミュニケーションが可能となる。
【００３８】
図７は、第３の実施の形態の実施の形態における別の遠隔対面コミュニケーションシステムの構成を示す機能ブロック図である。
【００３９】
図７に示す撮像表示装置１は、入力映像合成部１７を備えて、自分の映像入力部１４に入力された資料映像と相手の撮像表示装置１から伝送された資料映像とを合成し、２地点間でお互いの資料映像を共有する。
【００４０】
以上説明したように、本実施の形態によれば、第１の実施の形態の撮像表示装置を複数台接続し、撮影した映像、入力した映像を伝送部１６で送受信することにより、ミラーを介して相手の対面映像を見て視線を合わせて会話ができるとともに、表示部１１を直接見ることで資料映像を見ることが可能な遠隔対面コミュニケーションを実現できる。
【００４１】
なお、本発明は、前述の実施例に限定されるものではなく、その要旨を逸脱しない範囲において種々変更可能であることは勿論である。
【符号の説明】
【００４２】
１…撮像表示装置
１１…ディスプレイ（表示部）
１２…ミラー
１３…カメラ（撮像部）
１４…映像入力部
１５…ハーフミラー
１６…伝送部
１７…入力映像合成部
１００，１００Ａ，１００Ｂ…利用者
【図１】
2013255152.tif 000003
【図２】
2013255152.tif 000004
【図３】
2013255152.tif 000005
【図４】
2013255152.tif 000006
【図５】
2013255152.tif 000007
【図６】
2013255152.tif 000008
【図７】
2013255152.tif 000009